(57)【要約】【課題】農作物の市場販売予想価格から最適な収穫情報を提案し、収益の最大化を図るためのシステムを提供する。【解決手段】本発明の収穫情報提案システム１において、制御部１０は、予想価格取得モジュール１１を実行し、農作物の市場販売予想価格を収穫時期近辺の期間で取得する。そして、制御部１０は、収穫提案モジュール１２を実行し、市場販売予想価格に基づいて、農作物の収穫時期及び収穫量を提案する。収穫提案モジュール１２は、複数回に分けて農作物の収穫時期及び収穫量を提案するモジュールであることが好ましく、複数回に分けた農作物の収穫時期に合わせるための抑制栽培の手法を提案することがさらに好ましい。また、制御部１０は、農作物を画像解析し、農作物の生育状態を判断し、上記市場販売予想価格と農作物の生育状態とに基づいて、収穫時期及び収穫量を提案することが好ましい。【選択図】図１
2018158821.tif 000002
【特許請求の範囲】
【請求項１】
生産している農作物の収穫情報を農業生産者に提案する収穫情報提案システムであって、
前記農作物の市場販売予想価格を収穫時期近辺の期間で取得する予想価格取得手段と、
前記予想価格取得手段により取得した市場販売予想価格に基づいて、前記農作物の収穫時期及び収穫量を提案する収穫提案手段と、
を備える、収穫情報提案システム。
【請求項２】
前記収穫提案手段は、複数回に分けた前記農作物の収穫時期と、それぞれの収穫時期での収穫量とを提案する、請求項１に記載の収穫情報提案システム。
【請求項３】
前記収穫提案手段は、複数回に分けた前記農作物の収穫時期に合わせるための抑制栽培の手法を提案する、請求項２に記載の収穫情報提案システム。
【請求項４】
前記農作物を画像解析し、前記農作物の生育状態を判断する生育状態判断手段をさらに備え、
前記収穫提案手段は、前記市場販売予想価格と前記農作物の生育状態とに基づいて、前記収穫時期及び前記収穫量を提案する、請求項１から３のいずれかに記載の収穫情報提案システム。
【請求項５】
生産している農作物の収穫情報を農業生産者に提案する収穫情報提案方法であって、
前記農作物の市場販売予想価格を収穫時期近辺の期間で取得するステップと、
前記予想価格取得手段により取得した市場販売予想価格に基づいて、前記農作物の収穫時期及び収穫量を提案するステップと、
を備える、収穫情報提案方法。
【請求項６】
生産している農作物の収穫情報を農業生産者に提案する収穫情報提案システムに、
前記農作物の市場販売予想価格を収穫時期近辺の期間で取得するステップと、
前記予想価格取得手段により取得した市場販売予想価格に基づいて、前記農作物の収穫時期及び収穫量を提案するステップと、
を実行させるためのプログラム。
【発明の詳細な説明】
【技術分野】
【０００１】
本発明は、収穫情報提案システム、方法及びプログラムに関する。
【背景技術】
【０００２】
生産農家にとって、生産農家において、その年一年間どの様な作物を栽培するかについては、農業経営上大きな課題である。【０００３】
収益性の上がる作付け作物に関する情報を提供するシステムとして、作物の市場価格情報、作物の栽培情報、前記農作物生産者の農地が所在する地域の年間気象情報等に基づいて、農作物生産者の農地に適した一または複数の作付け作物提案情報を導出し、農作物生産者に提示するシステムが提案されている（例えば、特許文献１参照）。このシステムによると、生産農家が所有する農地の状況を個別的に分析し、収益性の上がる作付け作物に関する推薦情報を提供し、生産農家に受け入れられる作柄を決定すると共に、その施肥計画、栽培計画を提供できる。
【先行技術文献】
【特許文献】
【０００４】
【特許文献１】特開２００５−０８０５１４号公報
【発明の概要】
【発明が解決しようとする課題】
【０００５】
農業の収益性をよりいっそう上げるには、農作物の市場販売予想価格から、収穫時期を早めたり、遅くしたりといった計画が極めて重要である。また、作物の生育状況によっては、収穫時期を分散するという計画も必要となる。しかしながら、生産している農作物について、適切な収穫時期、収穫すべき量、収穫回数等を提案するシステムは、確立されておらず、収穫情報を提案するシステムについては、なおいっそうの改良の余地がある。【０００６】
本発明は、このような要望に鑑みてなされたものであり、農作物の市場販売予想価格から最適な収穫情報を提案し、収益の最大化を図るためのシステムを提供することを目的とする。
【課題を解決するための手段】
【０００７】
本発明では、以下のような解決手段を提供する。【０００８】
第１の特徴に係る発明は、生産している農作物の収穫情報を農業生産者に提案する収穫情報提案システムであって、
前記農作物の市場販売予想価格を収穫時期近辺の期間で取得する予想価格取得手段と、
前記予想価格取得手段により取得した市場販売予想価格に基づいて、前記農作物の収穫時期及び収穫量を提案する収穫提案手段と、
を備える、収穫情報提案システムを提供する。【０００９】
第１の特徴に係る発明によれば、収穫時期近辺の期間における市場販売予想価格に基づいて、農作物の収穫時期及び収穫量の提案がなされるため、その提案を受けた農家にとって、収益の最大化を図ることの可能なシステムを提供できる。【００１０】
第２の特徴に係る発明は、第１の特徴に係る発明であって、
前記収穫提案手段は、複数回に分けた前記農作物の収穫時期と、それぞれの収穫時期での収穫量とを提案する、収穫情報提案システムを提供する。【００１１】
第２の特徴に係る発明によれば、収穫時期を分散させ、労働の分散、機材の稼動の分散を図ることができるため、固定費の増大を抑えられる。また、収穫時期の分散により、気象災害のリスクを抑えられる。これにより、収益の最大化をより低いリスクで図ることが可能なシステムを提供できる。【００１２】
第３の特徴に係る発明は、第２の特徴に係る発明であって、
前記収穫提案手段は、複数回に分けた前記農作物の収穫時期に合わせるための抑制栽培の手法を提案する、収穫情報提案システムを提供する。【００１３】
第３の特徴に係る発明によれば、本来であれば、安値で取引される時期が好適な収穫時期であっても、抑制栽培を利用することで、高値で取引される時期に収穫時期を遅らせることができる。そのため、収益をよりいっそう向上させることの可能なシステムを提供できる。【００１４】
第４の特徴に係る発明は、第１から第３のいずれかの特徴に係る発明であって、
前記農作物を画像解析し、前記農作物の生育状態を判断する生育状態判断手段をさらに備え、
前記収穫提案手段は、前記市場販売予想価格と前記農作物の生育状態とに基づいて、前記収穫時期及び前記収穫量を提案する、収穫情報提案システムを提供する。【００１５】
第４の特徴に係る発明によれば、農作物を、より高値で販売でき、かつ、より品質の高い時期に収穫できる。そのため、収益をよりいっそう向上させることの可能なシステムを提供できる。
【発明の効果】
【００１６】
本発明によれば、農作物の市場販売予想価格から最適な収穫情報を提案し、収益の最大化を図るためのシステムを提供できる。
【図面の簡単な説明】
【００１７】
【図１】図１は、本実施形態における収穫情報提案システム１のハードウェア構成とソフトウェア機能を示すブロック図である。
【図２】図２は、本実施形態における収穫情報提案方法を示すフローチャートである。
【図３】図３は、本実施形態における作業記録データベース３１の一例である。
【図４】図４は、本実施形態における栽培時期データベース３２の一例である。
【図５】図５は、本実施形態における価格動向データベース３３の一例である。
【図６】図６は、本実施形態における生育参照情報データベース３５の一例である。
【図７】図７は、本実施形態における画像表示部５０での表示内容の一例である。
【発明を実施するための形態】
【００１８】
以下、本発明を実施するための形態について図を参照しながら説明する。なお、これはあくまでも一例であって、本発明の技術的範囲はこれに限られるものではない。
【００１９】
＜収穫情報提案システム１の構成＞
図１は、本実施形態における収穫情報提案システム１のハードウェア構成とソフトウェア機能を説明するためのブロック図である。
【００２０】
収穫情報提案システム１は、データを制御する制御部１０と、他の機器と通信を行う通信部２０と、データを記憶する記憶部３０と、ユーザの操作を受け付ける入力部４０と、制御部１０で制御したデータや画像を出力表示する画像表示部５０とを備える。
【００２１】
制御部１０は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備える。
【００２２】
通信部２０は、他の機器と通信可能にするためのデバイス、例えば、ＩＥＥＥ８０２．１１に準拠したＷｉ−Ｆｉ（Ｗｉｒｅｌｅｓｓ  Ｆｉｄｅｌｉｔｙ）対応デバイスを備える。
【００２３】
制御部１０は、所定のプログラムを読み込み、必要に応じて通信部２０と協働することで、予想価格取得モジュール１１と、収穫提案モジュール１２とを実現する。
【００２４】
記憶部３０は、データやファイルを記憶する装置であって、ハードディスクや半導体メモリ、記録媒体、メモリカード等による、データのストレージ部を備える。記憶部３０は、後に説明する作業記録データベース３１、栽培時期データベース３２、価格動向データベース３３、天気予報データベース３４、生育参照情報データベース３５、制約条件データベース３６、及び抑制栽培法データベース３７を記憶する。また、記憶部３０は、画像表示部５０に表示させる画像のデータを記憶する。
【００２５】
入力部４０の種類は、特に限定されない。入力部４０として、例えば、キーボード、マウス、タッチパネル等が挙げられる。
【００２６】
画像表示部５０の種類は、特に限定されない。画像表示部５０して、例えば、モニタ、タッチパネル等が挙げられる。
【００２７】
＜収穫情報提案システム１を用いた収穫情報提案方法を示すフローチャート］
図２は、収穫情報提案システム１を用いた収穫情報提案方法を示すフローチャートである。上述した各ハードウェアと、ソフトウェアモジュールが実行する処理について説明する。
【００２８】
〔ステップＳ１０：市場販売予想価格の取得〕
最初に、収穫情報提案システム１の制御部１０は、予想価格取得モジュール１１を実行し、農作物の市場販売予想価格を収穫時期近辺の期間で取得する（ステップＳ１０）。
【００２９】
市場販売予想価格の取得は、次のようにして行う。
【００３０】
まず、制御部１０は、記憶部３０に記憶された作業記録データベース３１（図３）を読み出し、これまでの作業記録を取得する。
【００３１】
図３は、作業記録データベース３１の一例である。作業記録データベース３１は、圃場の番号、その圃場で栽培する作物、その作物の品種、その作物の作業記録を記録できるように構成されている。
【００３２】
図３の例では、圃場番号が１５の圃場において、キャベツが栽培されている。そのキャベツの品種は、「ＣＣ」である。そして、キャベツ「ＣＣ」は、６月２日に種まきされ、７月１０日に圃場番号が１５の圃場に植え付けされ、８月３日に農薬散布され、９月１５日及び９月２５日に追肥されている。これらの情報は、日々の作業に応じて、随時、作業記録データベースに記録されている。
【００３３】
続いて、制御部１０は、記憶部３０に記憶された栽培時期データベース３２（図４）を読み出し、作物の仮の収穫時期を算出する。
【００３４】
図４は、栽培時期データベース３２の一例である。栽培時期データベース３２には、作物名、その作物の品種名、種まき時期、収穫時期等、作物の栽培に必要な情報が予め記録されている。
【００３５】
栽培時期データベース３２によると、キャベツ「ＣＣ」の収穫時期は、植え付け後８０日〜９０日後である。そして、作業記録データベース３１の記録から、圃場番号が１５の圃場で栽培されているキャベツ「ＣＣ」の植え付け日は、７月１０日である。したがって、圃場番号が１５の圃場で栽培されているキャベツ「ＣＣ」の仮の収穫時期は、９月下旬から１０月上旬である。
【００３６】
続いて、制御部１０は、記憶部３０に記憶された価格動向データベース３３（図５）を読み出し、対象とする農作物の収穫時期近辺の期間における市場販売予想価格を取得する。
【００３７】
図５は、価格動向データベース３３の一例である。価格動向データベース３３には、作物ごとの時期に応じた市場価格の統計データが予め記録されている。
【００３８】
価格動向データベース３３によると、９月上旬に市場に出たキャベツの価格は、１９０円／ｋｇであり、９月中旬に市場に出たキャベツの価格は、２０５円／ｋｇであり、９月下旬に市場に出たキャベツの価格は、２１６円／ｋｇである。
【００３９】
また、１０月上旬に市場に出たキャベツの価格は、２３４円／ｋｇであり、１０月中旬に市場に出たキャベツの価格は、２４０円／ｋｇであり、１０月下旬に市場に出たキャベツの価格は、２２５円／ｋｇである。
【００４０】
必須ではないが、制御部１０は、天気予報データベース３４を参照し、天気予報の情報に基づいて、市場販売予想価格の修正を行うことが好ましい。
【００４１】
例えば、収穫時期までの間、好天が続き、豊作が予想される場合、市場販売予想価格の修正を行わない。他方で、収穫時期までの間の天気が良すぎて、大豊作が予想される場合は、市場販売予想価格を所定の割合で減じる。また、収穫時期までの間の天気が悪く、不作が予想される場合は、市場販売予想価格を所定の割合で上げる。
【００４２】
また、制御部１０は、収穫時期における作物の生育状態を予測し、その生育状態に基づいて、市場販売予想価格の修正を行うことが好ましい。
【００４３】
市場販売価格は、作物の品質によって異なる。例えば、収穫された作物の品質が良質である場合、作物は、高値で取引され、収穫された作物の品質が低品質である場合、作物は、安値で取引される。そこで、画像解析技術等を利用し、収穫時期における収穫時期における作物の生育状態を予測することが好ましい。
【００４４】
例えば、制御部１０は、現在栽培している農作物の写真を取り込む。そして、制御部１０は、取り込んだ写真と、記憶部３０の生育参照情報データベース３５（図６）に記憶されている画像データとを比較する。比較の手法は、既存の画像解析手法であればよく、特に限定されない。
【００４５】
生育参照情報データベース３５には、作物を栽培してから作物を収穫するまでの作物の生育情報を示す撮影画像の情報と、その生育状況における取引価格の率の情報とが所定時期ごとに予めセットされている。
【００４６】
画像解析により、現在栽培している農作物がどの程度の生育状況であるかが分かる。そして、制御部１０は、生育参照情報データベース３５にセットされている価格率の情報から、すでにセットされている市場販売予想価格の修正を行うことができる。
【００４７】
〔ステップＳ１１：農作物の収穫量・収穫時期を提案〕
続いて、収穫情報提案システム１の制御部１０は、収穫提案モジュール１２を実行し、ステップＳ１０の処理で取得した市場販売予想価格に基づいて、農作物の収穫時期及び収穫量を提案する。
【００４８】
ステップＳ１０の処理において、市場販売予想価格を取得した。この予想価格が最も高い時期に全量を販売すれば、最も高い売上になるはずである。
【００４９】
しかしながら、農業経営者が現在有する労働力、機材の数の制約により、予想価格が最も高い時期に全量を販売できるとは限らない。また、臨時の労働力、機材を確保し、予想価格が最も高い時期に全量を販売できる環境が整ったとしても、臨時の労働力、機材を確保するコストが高ければ、売上を最大化できたとしても、それが必ずしも収益の最大化であるとはいえない。
【００５０】
また、収穫時期の気象状況もまた、農作物の収穫作業に大きな影響を及ぼす。
【００５１】
そこで、ステップＳ１１において、制御部１０は、記憶部３０の制約条件データベース３６にセットされている制約条件や、天気予報データベース３４にセットされている天気予報等に基づいて、複数回に分けた前記農作物の収穫時期と、それぞれの収穫時期での収穫量とを提案することが好ましい。そうすることで、収穫時期を分散させ、労働の分散、機材の稼動の分散を図ることができるため、固定費の増大を抑えられる。また、収穫時期の分散により、気象災害のリスクを抑えられる。これにより、収益の最大化をより低いリスクで図ることが可能なシステムを提供できる。
【００５２】
なお、制約条件データベース３６には、農業経営者が現在有する労働力、機材の数、これら労働力、機材を臨時に確保した場合のコスト等、農作物を収穫する際の制約条件となるデータが予めセットされている。
【００５３】
また、制御部１０は、記憶部３０に記憶されている抑制栽培法データベース３７を参照し、複数回に分けた農作物の収穫時期に合わせるための抑制栽培の手法を提案することが好ましい。これにより、本来であれば、安値で取引される時期が好適な収穫時期であっても、抑制栽培を利用することで、高値で取引される時期に収穫時期を遅らせることができる。そのため、収益をよりいっそう向上させることの可能なシステムを提供できる。
【００５４】
なお、抑制栽培法データベース３７には、農作物の種類に適した抑制栽培の手法が予め記憶されている。
【００５５】
そして、収穫情報提案システム１の制御部１０は、画像表示部５０に、農作物の適切な収穫量・収穫時期を表示するよう指令する。
【００５６】
図７は、そのときの画像表示部５０における表示内容の一例である。画面の上段には、提案内容が、下段には、これまでの作業記録が表示されている。
【００５７】
提案内容によると、「キャベツは、市場価格がこれから上がりますので、分散して収穫されたらいかがでしょうか？圃場１５は、本日、４分の１収穫し、１０月はじめに半分収穫し、１０月１０日頃に残りを収穫されてはいかがでしょうか？」と記載されている。
【００５８】
本実施形態に記載の発明によると、収穫時期近辺の期間（本実施形態では９月下旬から１０月上旬）における市場販売予想価格に基づいて、農作物の収穫時期及び収穫量の提案がなされる。そのため、提案を受けた農業従事者にとって、収益の向上を図ることの可能となる。
【００５９】
また、複数回に分けた前記農作物の収穫時期と、それぞれの収穫時期での収穫量とが提案されているため、労働の分散、機材の稼動の分散を図ることができ、固定費の増大を抑えられる。また、収穫時期の分散により、気象災害のリスクを抑えられる。これにより、収益の最大化をより低いリスクで図ることが可能となる。
【００６０】
また、必要に応じて、複数回に分けた前記農作物の収穫時期に合わせるための抑制栽培の手法が提案される。これにより、本来であれば、安値で取引される時期が好適な収穫時期であっても、抑制栽培を利用することで、高値で取引される時期に収穫時期を遅らせることができる。そのため、収益をよりいっそう向上させることの可能となる。
【００６１】
また、農作物を画像解析し、農作物の生育状態を判断した上で、収穫時期及び収穫量が提案される。これにより、農作物を、より高値で販売でき、かつ、より品質の高い時期に収穫できる。そのため、収益をよりいっそう向上させることが可能となる。
【００６２】
上述した手段、機能は、コンピュータ（ＣＰＵ、情報処理装置、各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置又は外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００６３】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６４】
１    収穫情報提案システム
１０  制御部
１１  予想価格取得モジュール
１２  収穫提案モジュール
２０  通信部
３０  記憶部
３１  作業記録データベース
３２  栽培時期データバース
３３  価格動向データベース
３４  天気予報データベース
３５  生育参照情報データベース
３６  制約条件データベース
３７  抑制栽培法データベース
４０  入力部
５０  画像表示部
【図１】
2018158821.tif 000003
【図２】
2018158821.tif 000004
【図３】
2018158821.tif 000005
【図４】
2018158821.tif 000006
【図５】
2018158821.tif 000007
【図６】
2018158821.tif 000008
【図７】
2018158821.tif 000009
【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
生産している農作物の収穫情報を農業生産者に提案する収穫情報提案システムであって、
前記農作物の市場販売予想価格を収穫時期近辺の期間で取得する予想価格取得手段と、
実際の前記農作物の価格に影響を与える要因に関する情報に基づいて、前記農作物の価格の変動が予想される場合には、取得した前記市場販売予想価格を当該要因に基づいて修正する修正手段と、
前記農作物の価格の変動が予想されない場合、前記取得した市場販売予想価格に基づいて、複数回に分けた前記農作物の収穫時期と、それぞれの収穫時期での収穫量とを提案し、当該農作物の価格の変動が予想される場合、前記修正した市場販売予想価格に基づいて、複数回に分けた当該農作物の収穫時期と、それぞれの収穫時期での収穫量とを提案する収穫提案手段と、
を備えることを特徴とする収穫情報提案システム。
【請求項２】
前記収穫提案手段は、複数回に分けた前記農作物の収穫時期に合わせるための抑制栽培の手法を提案する、請求項１に記載の収穫情報提案システム。
【請求項３】
前記農作物を画像解析し、前記農作物の生育状態を判断する生育状態判断手段をさらに備え、
前記収穫提案手段は、前記市場販売予想価格と前記農作物の生育状態とに基づいて、前記収穫時期及び前記収穫量を提案する、請求項１または２に記載の収穫情報提案システム。
【請求項４】
生産している農作物の収穫情報を農業生産者に提案する収穫情報提案システムが実行する収穫情報提案方法であって、
前記農作物の市場販売予想価格を収穫時期近辺の期間で取得するステップと、
実際の前記農作物の価格に影響を与える要因に関する情報に基づいて、前記農作物の価格の変動が予想される場合には、前記取得した市場販売予想価格を当該要因に基づいて修正するステップと、
前記農作物の価格の変動が予想されない場合、前記取得した市場販売予想価格に基づいて、複数回に分けた前記農作物の収穫時期と、それぞれの収穫時期での収穫量とを提案し、当該農作物の価格の変動が予想される場合、前記修正した市場販売予想価格に基づいて、複数回に分けた当該農作物の収穫時期と、それぞれの収穫時期での収穫量とを提案するステップと、
を備えることを特徴とする収穫情報提案方法。
【請求項５】
生産している農作物の収穫情報を農業生産者に提案する収穫情報提案システムに、
前記農作物の市場販売予想価格を収穫時期近辺の期間で取得するステップ、
実際の前記農作物の価格に影響を与える要因に関する情報に基づいて、前記農作物の価格の変動が予想される場合には、前記取得した市場販売予想価格を当該要因に基づいて修正するステップ、
前記農作物の価格の変動が予想されない場合、前記取得した市場販売予想価格に基づいて、複数回に分けた前記農作物の収穫時期と、それぞれの収穫時期での収穫量とを提案し、当該農作物の価格の変動が予想される場合、前記修正した市場販売予想価格に基づいて、複数回に分けた当該農作物の収穫時期と、それぞれの収穫時期での収穫量とを提案するステップ、
を実行させるためのコンピュータ読み取り可能なプログラム。
【手続補正２】
【補正対象書類名】明細書
【補正対象項目名】０００８
【補正方法】変更
【補正の内容】
【０００８】
第１の特徴に係る発明は、生産している農作物の収穫情報を農業生産者に提案する収穫情報提案システムであって、
前記農作物の市場販売予想価格を収穫時期近辺の期間で取得する予想価格取得手段と、
実際の前記農作物の価格に影響を与える要因に関する情報に基づいて、前記農作物の価格の変動が予想される場合には、取得した前記市場販売予想価格を当該要因に基づいて修正する修正手段と、
前記農作物の価格の変動が予想されない場合、前記取得した市場販売予想価格に基づいて、複数回に分けた前記農作物の収穫時期と、それぞれの収穫時期での収穫量とを提案し、当該農作物の価格の変動が予想される場合、前記修正した市場販売予想価格に基づいて、複数回に分けた当該農作物の収穫時期と、それぞれの収穫時期での収穫量とを提案する収穫提案手段と、
を備えることを特徴とする収穫情報提案システムを提供する。
【手続補正３】
【補正対象書類名】明細書
【補正対象項目名】０００９
【補正方法】変更
【補正の内容】
【０００９】
第１の特徴に係る発明によれば、収穫時期近辺の期間における市場販売予想価格に基づいて、農作物の収穫時期及び収穫量の提案がなされるため、その提案を受けた農家にとって、収益の最大化を図ることの可能なシステムを提供できる。また、収穫時期を分散させ、労働の分散、機材の稼動の分散を図ることができるため、固定費の増大を抑えられる。また、収穫時期の分散により、気象災害のリスクを抑えられる。これにより、収益の最大化をより低いリスクで図ることが可能なシステムを提供できる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
第２の特徴に係る発明は、第１の特徴に係る発明であって、
前記収穫提案手段が、複数回に分けた前記農作物の収穫時期に合わせるための抑制栽培の手法を提案する、収穫情報提案システムを提供する。
【手続補正７】
【補正対象書類名】明細書
【補正対象項目名】００１３
【補正方法】変更
【補正の内容】
【００１３】
第２の特徴に係る発明によれば、本来であれば、安値で取引される時期が好適な収穫時期であっても、抑制栽培を利用することで、高値で取引される時期に収穫時期を遅らせることができる。そのため、収益をよりいっそう向上させることの可能なシステムを提供できる。
【手続補正８】
【補正対象書類名】明細書
【補正対象項目名】００１４
【補正方法】変更
【補正の内容】
【００１４】
第３の特徴に係る発明は、第１又は第２のいずれかの特徴に係る発明であって、
前記農作物を画像解析し、前記農作物の生育状態を判断する生育状態判断手段をさらに備え、
前記収穫提案手段が、前記市場販売予想価格と前記農作物の生育状態とに基づいて、前記収穫時期及び前記収穫量を提案する、収穫情報提案システムを提供する。
【手続補正９】
【補正対象書類名】明細書
【補正対象項目名】００１５
【補正方法】変更
【補正の内容】
【００１５】
第３の特徴に係る発明によれば、農作物を、より高値で販売でき、かつ、より品質の高い時期に収穫できる。そのため、収益をよりいっそう向上させることの可能なシステムを提供できる。
【国際調査報告】
2018158821.tif 000010
2018158821.tif 000011
2018158821.tif 000012
2018158821.tif 000013